(57)【要約】      （修正有）【課題】電装品箱に取り付けたヒートシンクが強制冷却されるようにして、小型のヒートシンクであっても高い放熱効果を実現できる空気調和機を提供する。【解決手段】前面に空気吹出口１１１ａが形成され背面に空気吸込口１１２ａが形成され、右側面板１１４、左側面板１１３、天面板及び底面板１１６で囲まれ、内部空間が仕切板１１７によって前記空気吸込口の側の送風機室１１８と前記空気吹出口の側の熱交換器室１１９とに区画され、前記送風機室に熱交換器室に空気を送る送風機と電装品箱１５０が配置されると共に、前記熱交換器室に熱交換器１３０が配置された空気調和機において、前記電装品箱に前記電装品箱から露出するようヒートシンク１５２が設けられ、前記仕切板における前記ヒートシンクに対応する対面する部分に、導風孔１１７ｃを形成した。【選択図】図１
2017187224.tif 000002
【特許請求の範囲】
【請求項１】
前面に空気吹出口が形成され背面に空気吸込口が形成され、右側面板、左側面板、天面板及び底面板で囲まれ、内部が仕切板によって前記空気吸込口の側の送風機室と前記空気吹出口の側の熱交換器室とに区画され、前記送風機室に熱交換器室に空気を送る送風機と電装品箱が配置されると共に、前記熱交換器室に熱交換器が配置された空気調和機において、
前記電装品箱に前記電装品箱から露出するようヒートシンクが設けられ、前記仕切板における前記ヒートシンクに対向する部分に、導風孔を形成したことを特徴とする空気調和機。
【請求項２】
請求項１に記載の空気調和機において、
前記仕切板の前記導風孔から吹き出される空気を前記ヒートシンクにガイドするガイド手段を設けたことを特徴とする空気調和機。
【請求項３】
請求項２に記載の空気調和機において、
前記ガイド手段は、前記仕切板に取り付けられていることを特徴とする空気調和機。
【請求項４】
請求項２に記載の空気調和機において、
前記ガイド手段は、前記電装品箱に取り付けられていることを特徴とする空気調和機。
【発明の詳細な説明】
【技術分野】
【０００１】
本発明は、電装品箱がヒートシンクを備えた空気調和機に関する。
【背景技術】
【０００２】
ダクト型空気調和機の室内機２００は、図５に示すように、建屋天井面３００と室内天井面４００との間に、吊下げボルト５００によって吊下げ状態で設置される。この室内機２００は、室外に設置された図示しない室外機に対して、冷媒配管、電源線及び制御線で接続されており、その室内機２００の筐体２１０の空気吸込口２１２ａに吸込ダクト６００の一端が取り付けられ、空気吹出口２１１ａに吹出ダクト７００の一端が取り付けられている。そして、吸込ダクト６００の他端は室内天井面４００に取り付けられた吸込グリル４１０に接続され、吹出ダクト７００の他端は室内天井面４００に取り付けられた吹出グリル４２０に接続されている。
【０００３】
室内機２００の筐体２１０は横長の直方体形状であり、図６、図７に示すように、前面の空気吹出口２１１ａを囲むダクト取付枠２１１、背面の空気吸込口２１２ａを囲むダクト取付枠２１２、左側面板２１３、右側面板２１４、天面板２１５、及び底面板２１６を有する。
【０００４】
筐体２１０の内部は、仕切板２１７によって、空気吸込口２１２ａの側が送風機室２１８となり、空気吹出口２１１ａの側が熱交換器室２１９となるよう区画されている。そして、送風機室２１８内には２台のシロッコファン２２０Ａ、２２０Ｂが並列に配置され、熱交換器室２１９内には側面視でく字形状に組み合わされた２枚の熱交換部からなる熱交換器２３０が配置されている。シロッコファン２２０Ａ、２２０Ｂは、モータ２４０の回転軸２４１に結合された羽根車２２１とその羽根車２２１を収容する渦巻き形状のケーシング２２２とで、それぞれ形成されている。そして、シロッコファン２２０Ａ、２２０Ｂは、仕切板２１７のファン取付開口２１７ａ、２１７ｂに、それぞれ取り付けられている。さらに、送風機室２１８の右側のシロッコファン２２０Ｂと右側面板２１４との間には、電装品箱２５０が配置されている。
【０００５】
この電装品箱２５０には、室内機２００や図示しない室外機を制御したりリモコン操作で入力される制御信号を受信して処理する電子部品が搭載されている。その電子部品のうち、モータ２４０を駆動する素子には大きな電流が流れ発熱量が大きくなる。
【０００６】
そこで、その熱を放熱するためには、発熱素子にヒートシンク２５２を取り付け、図８に示すように、そのヒートシンク２５２を、電装品箱２５０の電装品箱筐体２５１の側面２５１ａから送風機室２１８内に露出させることが好ましい。
【発明の概要】
【発明が解決しようとする課題】
【０００７】
しかしながら、このようにヒートシンク２５２を取り付けても、ここにはシロッコファン２２０Ｂによる風が当たらないので自然冷却となって冷却効果が少なく、そのヒートシンク２５２を大型化する必要があり、コスト高を招く。
【０００８】
本発明の目的は、電装品箱に取り付けたヒートシンクが強制冷却されるようにして、小型のヒートシンクであっても高い放熱効果を得ることができるようにした空気調和機を提供することである。
【課題を解決するための手段】
【０００９】
上記目的を達成するために、請求項１にかかる発明は、前面に空気吹出口が形成され背面に空気吸込口が形成され、右側面板、左側面板、天面板及び底面板で囲まれ、内部が仕切板によって前記空気吸込口の側の送風機室と前記空気吹出口の側の熱交換器室とに区画され、前記送風機室に熱交換器室に空気を送る送風機と電装品箱が配置されると共に、前記熱交換器室に熱交換器が配置された空気調和機において、前記電装品箱に前記電装品箱から露出するようヒートシンクが設けられ、前記仕切板における前記ヒートシンクに対向する部分に、導風孔を形成したことを特徴とする。
【００１０】
請求項２にかかる発明は、請求項１に記載の空気調和機において、前記仕切板の前記導風孔から吹き出される空気を前記ヒートシンクにガイドするガイド手段を設けたことを特徴とする。
【００１１】
請求項３にかかる発明は、請求項２に記載の空気調和機において、前記ガイド手段は、前記仕切板に取り付けられていることを特徴とする。
【００１２】
請求項４にかかる発明は、請求項２に記載の空気調和機において、前記ガイド手段は、前記電装品箱に取り付けられていることを特徴とする。
【発明の効果】
【００１３】
本発明によれば、仕切板に形成した導風孔を経由して熱交換器室から送風機室に流れる空気流が発生し、その空気流が電装品箱のヒートシンクに当たるので、ヒートシンクが強制冷却され、小型のヒートシンクで高い放熱効果を得ることができる利点がある。
【図面の簡単な説明】
【００１４】
【図１】本発明の第１実施例の室内機の横断面図である。
【図２】図１の室内機の電装品箱部分の斜視図である。
【図３】本発明の第２実施例の室内機の横断面図である。
【図４】図３の室内機の電装品箱部分の斜視図である。
【図５】従来のダクト型空気調和機の室内機の取付説明図である。
【図６】従来の室内機の斜視図である。
【図７】従来の室内機の天面板を取り外した状態の斜視図である。
【図８】従来の室内機の横断面図である。
【発明を実施するための形態】
【００１５】
＜第１実施例＞
図１に本発明の第１実施例の室内機１００を示す。１１０は室内機１００の筐体であり、図６、図７で説明した室内機２００と同様に横長の直方体形状で、前面の空気吹出口１１１ａを囲むダクト取付枠１１１、背面の空気吸込口１１２ａを囲むダクト取付枠１１２、左側面板１１３、右側面板１１４、底面板１１６、及び天面板を有する。天面板は図示しないが図６、図７で説明した天面板２１５と同様である。
【００１６】
筐体１１０の内部は、仕切板１１７によって、空気吸込口１１２ａの側が送風機室１１８となり、空気吹出口１１１ａの側が熱交換器室１１９となるよう区画されている。そして、送風機室１１８内には２台のシロッコファン１２０Ａ、１２０Ｂが並列に配置され、熱交換器室１１９内には側面視でく字形状に組み合わされた２枚の熱交換部からなる熱交換器１３０が配置されている。シロッコファン１２０Ａ、１２０Ｂは、モータ１４０の回転軸１４１に結合された羽根車１２１とその羽根車１２１を収容する渦巻き形状のケーシング１２２とで、それぞれ形成されている。そして、シロッコファン１２０Ａ、１２０Ｂは、仕切板１１７のファン取付開口１１７ａ、１１７ｂに、それぞれ取り付けられている。さらに、送風機室１１８の右側のシロッコファン１２０Ｂと右側面板１１４との間には、電装品箱１５０が配置されている。
【００１７】
この電装品箱１５０には、室内機１００や図示しない室外機を制御したりリモコン操作で入力される制御信号を受信して処理する電子部品が搭載されている。その電子部品の中でもモータ１４０を駆動する素子には大きな電流が流れ発熱量が大きくなるので、その熱を放熱するヒートシンク１５２が電装品箱筐体１５１の一方の側面板１５１ａから送風機室１１８の内部に露出している。
【００１８】
本実施例では、仕切板１１７におけるヒートシンク１５２に対向する部分に、導風孔１１７ｃが形成されている。この仕切板１１７の導風孔１１７ｃは、図２に示すように、電装品箱１５０の側面板１５１ａから露出するヒートシンク１５２の端面形状に合わせて、縦長形状に形成されている。
【００１９】
シロッコファン１２０Ａ、１２０Ｂの羽根車１２１がモータ１４０によって回転されると、送風機室１１８内の空気がそのシロッコファン１２０Ａ、１２０Ｂによって熱交換器室１１９の熱交換器１３０に吹き付けられるので、送風機室１１８の気圧が熱交換器室１１９の気圧よりも低くなる。このため、熱交換器１１９から送風機室１１８に向けて、導風孔１１７ｃを経由して流れる空気流が発生し、その空気流がヒートシンク１５２を冷却する。
【００２０】
以上から、ヒートシンク１５２が強制冷却されることになるので、そのヒートシンク１５２を大型化せずとも、小型のままで十分な冷却効果を得ることができる。
【００２１】
なお、導風孔１１７ｃを通過する空気流は、送風機室１１８と熱交換器室１１９の気圧差に応じた速度となるが、シロッコファン１２０Ａ、１２０Ｂによって熱交換器室１１９に送っている空気を送風機室１１８に逆流させるものであるため、ヒートシンク１５２の冷却効果とシロッコファン１２０Ａ、１２０Ｂによる送風効率とを勘案して、その大きさを設定すればよい。
【００２２】
＜第２実施例＞
図３に本発明の第２実施例の室内機１００Ａを示す。図１、２で説明したものと同じもには同じ符号をつけた。本実施例では、第１実施例で説明した仕切板１１７の導風孔１１７ｃからヒートシンク１５２に向けて流れる空気流をガイドするガイド手段として側面がコ字形状のガイド板１１７ｄを、仕切板１１７の送風機室１１８の側に位置するよう取り付けている。
【００２３】
このため、このガイド板１１７ｄによって導風孔１１７ｃから吹き出される空気流がヒートシンク１５２の周囲に集められるので、そのヒートシンク１５２の冷却効果がより高くなる。
【００２４】
なお、このガイド板１１７ｄは、仕切板１１７に取り付ける他に、電装品箱１５０の側面板１５１ａに取り付けても、同様に導風孔１１７ｃから吹き出される空気流をヒートシンク１５２の周囲に集めることができ、そのヒートシンク１５２の冷却効果を高くすることができる。
【符号の説明】
【００２５】
１００，１００Ａ：空気調和機
１１０：筐体、１１１：ダクト取付枠、１１１ａ：空気吹出口、１１２：ダクト取付枠、１１２ａ：空気吸込口、１１３：左側面板、１１４：右側面板、１１６：底面板、１１７：仕切板、１１７ａ、１１７ｂ：シロッコファン取付開口、１１７ｃ：導風孔、１１７ｄ：ガイド板
１２０Ａ、１２０Ｂ：シロッコファン、１２１：羽根車、１２２：ケーシング
１３０：熱交換器
１４０：モータ、１４１：回転軸
１５０：電装品箱、１５１：電装品箱筐体、１５１ａ：側面板
【図１】
2017187224.tif 000003
【図２】
2017187224.tif 000004
【図３】
2017187224.tif 000005
【図４】
2017187224.tif 000006
【図５】
2017187224.tif 000007
【図６】
2017187224.tif 000008
【図７】
2017187224.tif 000009
【図８】
2017187224.tif 000010